(57)【要約】【課題】複数種類の通信要求に対する通信が可能な装置で、効率的に各通信要求に対する通信を実行することができる情報通信技術を提供する。【解決手段】データを管理するサーバに接続するための接続情報と、前記データを取得するためのページ情報をＲＡＭ１０４に記憶しておき、その接続情報とページ情報を用いて、サーバとの通信を実行する。通信回線に係る通信状況を監視し、サーバとの通信中に、該サーバ以外の通信要求が検出された場合、通信要求を通知する。次に、その通信要求に対する応答を行い、その応答結果に基づいて、通信要求に対する通信を実行する。【選択図】  図１
2004235892.tif 000002
【特許請求の範囲】
【請求項１】
通信回線を介してデータを取得する情報通信装置であって、
前記データを管理するサーバに接続するための接続情報と、前記データを取得するためのページ情報を記憶する記憶手段と、
前記接続情報と前記ページ情報を用いて、前記サーバとの通信を実行する通信手段と、
前記通信回線に係る通信状況を監視する監視手段と、
前記監視手段によって、前記サーバとの通信中に、該サーバ以外の通信要求が検出された場合、前記通信要求を通知する通知手段と、
前記通知手段で通知される通信要求に対する応答を行う応答手段と、
前記応答手段による応答結果に基づいて、前記通信要求に対する通信を実行する実行手段と
を備えることを特徴とする情報通信装置。
【発明の詳細な説明】
【０００１】
【発明の属する技術分野】
本発明は、通信回線を介してデータを取得する情報通信技術に関するものである。
【０００２】
【従来の技術】
従来、ネットワークに接続されたサーバ上で管理されている各種コンテンツデータ（音楽データや画像あるいはテキストデータ等）を、ネットワークを介してサーバから通信端末に配信するシステムが実現されている。特に、プリント機能付き通信端末では、配信されたコンテンツデータを、プリントして活用することができる。また、このようなシステムの通信端末としては、ファクシミリ装置を用いて実現されているものがある。
【０００３】
【発明が解決しようとする課題】
しかしながら、上記従来例において、コンテンツデータの配信中及び閲覧中に、割込着信（ファクシミリ受信や電話受信）が発生すると、その影響で受信中のデータ回線がエラーとなって切断されてしまい、正常な配信／閲覧ができなくなってしまう。
【０００４】
また、割込着信は、網側で音として重畳されるため、回線上の音をモニタしていないコンテンツデータの配信中／閲覧中のユーザには割込着信の有無は判断できないし、発生した割込着信に応答することもできなかった。
【０００５】
また、通信端末がドアホン機能や内線機能を有している場合には、コンテンツデータの配信中及び閲覧中に、ドアホン又は内線着信があっても、配信及び閲覧に係る回線接続が優先されるので、その着信は無視され、通話することができなかった。例えば、ドアホン機能を有している通信端末で、ダウンロードの配信中及び閲覧中である状態で、来客者によるドアホン着信をその通信端末が受けても、その着信は無視されてしまい、来客者への応対を逸してしまう場合があった。
【０００６】
本発明は上記の課題を解決するためになされたものであり、複数種類の通信要求に対する通信が可能な装置で、効率的に各通信要求に対する通信を実行することができる情報通信技術を提供することを目的とする。
【０００７】
【課題を解決するための手段】
上記の目的を達成するための本発明による情報通信装置は以下の構成を備える。即ち、
通信回線を介してデータを取得する情報通信装置であって、
前記データを管理するサーバに接続するための接続情報と、前記データを取得するためのページ情報を記憶する記憶手段と、
前記接続情報と前記ページ情報を用いて、前記サーバとの通信を実行する通信手段と、
前記通信回線に係る通信状況を監視する監視手段と、
前記監視手段によって、前記サーバとの通信中に、該サーバ以外の通信要求が検出された場合、前記通信要求を通知する通知手段と、
前記通知手段で通知される通信要求に対する応答を行う応答手段と、
前記応答手段による応答結果に基づいて、前記通信要求に対する通信を実行する実行手段と
を備える。
【０００８】
【発明の実施の形態】
以下、本発明の実施の形態について図面を用いて詳細に説明する。
【０００９】
本発明は、インターネット接続機能を有する情報通信装置として、例えば、コンテンツデータ（画像やテキスト、音声等からなるデータ）のダウンロードを含む複数種類の通信を効率的に実行することができるファクシミリ装置として実施可能である。
【００１０】
尚、以下の説明において、「サーバ」とは、ＷＷＷシステムにおいてＨＴＭＬ文書や画像などの情報を蓄積しておき、Ｗｅｂブラウザなどのクライアントソフトウェアからの要求を受けてインターネット等の通信回線を通じて情報送信を行うＷｅｂサーバや、通信回線を通じてユーザからの要求を受けて、データベースシステム等の処理に橋渡しを行う機能を備えたアプリケーションサーバ（または、Ｗｅｂアプリケーションサーバ）を意味するものである。
【００１１】
また、「クライアント」とは、通信回線を介してサーバの提供する機能やデータを利用するコンピュータ、およびソフトウェアを意味するものである。このクライアントとしては、実施形態では、特に、図１のファクシミリ装置に該当するが、これ以外にも、例えば、通信回線に接続されたコンピュータ、家庭用のパーソナルコンピュータ、およびコンピュータ上で動作するＷｅｂブラウザ、ビューワ等が該当する。
【００１２】
また、以下に説明する本発明の実施形態では、インターネットを介してＷｅｂ環境下で提供者とユーザとの間で、特に、コンテンツデータのダウンロードに係る各種処理を実現する例を挙げて説明するが、本発明はこのような構成に限定されるものではない。つまり、サーバが提供するサービスに係る処理を実行するための各種操作画面がクライアントのブラウザ（ビューワ）上で表示可能な形態を提供できるようなコンピュータネットワーク環境であれば、本発明を適用することができる。
【００１３】
＜＜実施形態１＞＞
図１は本発明の実施形態１におけるファクシミリ装置の構成を示すブロック図である。
【００１４】
尚、実施形態１では、インターネット接続機能を有するファクシミリ装置を例に挙げて説明するが、例えば、同機能を有する携帯電話やＰＤＡ等の携帯端末についても本発明を適用することができる。
【００１５】
１０１は、原稿を光学的に読み取って画像データに変換する画像読取部である。１０２は、ファクシミリ装置全体の制御を行うＣＰＵである。１０３は、後述するフローチャートの処理を実現するプログラムを含むＣＰＵ１０２の動作プログラムを格納するＲＯＭである。１０４は、ＣＰＵ１０２のワークメモリとして機能したり、受信データを一時的に格納するＲＡＭである。尚、ＲＡＭ１０４以外に、ＲＡＭ１０４と同等の機能を実現できるメモリ、例えば、ＥＥＰＲＯＭ等を用いても良い。
【００１６】
１０５は、画像読取部１０１で読み取ったり、通信回線経由で受信した画像データを記録するプリンタである。このプリンタの記録方式には、感熱方式、レーザビーム方式、インクジェット方式等が挙げられる。１０６は、ビットマップデータ等の画像データや、操作画面等を表示する表示部である。この表示部１０６は、例えば、ＬＣＤで構成される。更に、この表示部１０６では、通信回線を介してアクセス可能なＷｅｂサーバで管理されているＷｅｂページを閲覧するための閲覧機能を有している。
【００１７】
１０７は、ユーザがＲＡＭ１０４内の受信データ種別を選択するためのキーや、ＲＡＭ１０４内の受信データを消去するためのキー等のファクシミリ装置の各種操作を行うためのキー群やボタン群が配置された操作部である。また、実施形態１では、この操作部１０７より、通信回線を介してアクセス可能なＷｅｂサーバで管理されているＷｅｂページにアクセスするためのページ情報（ＵＲＬやＩＰアドレス、コンテンツデータ等）を入力することが可能である。
【００１８】
尚、このページ情報は、ＨＴＭＬやＸＭＬ等のマークアップ記述言語で記述されたデータ群である。
【００１９】
また、表示部１０６上では、ファクシミリ装置の各種操作を行うための表示画面が表示され、その表示画面に構成される各種データ入力領域やメニュー、ボタンに対する入力操作や選択操作は、表示画面内に表示されるカーソルやポインタを操作部１０７を介して操作することで実現することができる。
【００２０】
加えて、表示部１０６の表面にタッチパネルを配置して、操作部１０７と同等の機能を実現可能な各種操作画面を表示部１０６に表示させることで、ファクシミリ装置に係る各種操作をタッチ操作で実現するようにしても良い。
【００２１】
１０８は、通信回線（例えば、公衆電話回線（ＰＳＴＮやＩＳＤＮ））経由でデータの送受信を行うためのデータモデムである。１０９は、通信回線経由でファクシミリ送受信を行うためのＧ３規格やＧ４規格のＦＡＸモデムである。１１０は、通信回線から受信するデータをデータモデム１０８またはＦＡＸモデム１０９に振り分けるためのクロスポイントスイッチである。
【００２２】
１１１は画像処理部であり、ＦＡＸ画像データの符号化／復号化処理、音声データの符号化／復号化処理、コンテンツデータの圧縮／復元処理等のファクシミリ装置の処理対象となるデータの各種画像処理を実行する。
【００２３】
１１２は着信検出部であり、通信回線からの着信（ファクシミリ受信、外線／内線受信、ドアホン）の有無を検出する。
【００２４】
次に、実施形態１のファクシミリ装置を用いて、インターネット上のサーバで管理されるコンテンツデータをアクセスする際の手順について、図２を用いて説明する。
【００２５】
図２は本発明の実施形態１のファクシミリ装置によるコンテンツデータのダウンロード処理シーケンスを示す図である。
【００２６】
２０１は、クライアント（ファクシミリ装置２０２）との間でページ情報（ＵＲＬ及びそのコンテンツデータ）等の情報を更新するＷｅｂサーバ２０５と、印刷用／閲覧用画像データ等の各種コンテンツデータを管理するＤＬ（ダウンロード）サーバ２０６からなるコンテンツサーバである。
【００２７】
２０２は、図１のファクシミリ装置である。２０３は、ネットワークである。２０４は、ネットワーク２０３とファクシミリ装置間のＧＷ（ゲートウェイ）である。
【００２８】
尚、ネットワーク２０３は、典型的にはインターネットやＬＡＮやＷＡＮや電話回線、専用デジタル回線、ＡＴＭやフレームリレー回線、通信衛星回線、ケーブルテレビ回線、データ放送用無線回線等のいずれか、またはこれらの組み合わせにより実現されるいわゆる通信ネットワークであり、データの送受信が可能であれば良い。
【００２９】
コンテンツサーバ２０１とファクシミリ装置２０２は、公衆回線等の通信回線で接続され、ファクシミリ装置２０２からは、例えば、データモデム１０８からダイヤルアップによりＧＷ２０４に接続し、このＧＷ２０４経由でネットワーク２０３上にあるＷｅｂサーバ２０５やＤＬサーバ２０６に接続される。
【００３０】
ファクシミリ装置２０２は、取得対象のページ情報を管理しているＷｅｂサーバ２０５へのアクセスを要求すると、Ｗｅｂサーバ２０５は指定されたページ情報を取得してファクシミリ装置２０２に送信する。
【００３１】
一方、ファクシミリ装置２０２は、Ｗｅｂサーバ２０５からページ情報を受信すると、そのページ情報を解読して表示用データに変換し、表示部１０６に、例えば、表示画面２０７ａとして表示する。
【００３２】
表示画面２０７ａは、その内部に印刷用コンテンツデータ（新着写真▲１▼）があり、そのコンテンツデータをダウンロードするためのダウンロードボタンが構成されている表示画面例を示している。そして、ユーザは、この表示画面２０７ａ上のダウンロードボタンを選択操作することで、印刷用コンテンツデータのダウンロードを実行することができる。
【００３３】
そして、表示画面２０７ａにおいて、ダウンロードボタンが操作されると、そのページ情報に記述されているコンテンツデータの属性情報を取得するために、Ｗｅｂサーバ２０５に属性情報の取得要求を行う。そして、Ｗｅｂサーバ２０５から要求した属性情報を受信すると、その内容に基づいてコンテンツデータのダウンロードの可否を判定する。
【００３４】
ここで、属性情報としては、コンテンツデータのファイル属性（ＪＰＥＧ／ＧＩＦ／ＴＥＸＴ等）、ファイルサイズ、縦横サイズ、解像度、フォントタイプ（明朝／ゴシック等）等がある。そして、コンテンツデータのダウンロードの可否は、例えば、ファクシミリ装置２０２で受信可能なＲＡＭ１０４の記憶容量（空容量）と、ダウンロード対象のコンテンツデータのファイルサイズを比較し、その比較結果に基づいて、ダウンロードの可否を判定する。
【００３５】
具体的には、比較の結果、ダウンロード対象のコンテンツデータのファイルサイズが記憶容量より大きい場合は、ダウンロード不可とし、ダウンロードができない旨の表示を行う。その後、ページ情報の表示を続行する。
【００３６】
一方、属性情報を受信して、その内容に基づいてコンテンツデータのダウンロードが可能である場合は、表示部１０６には表示画面２０７ｂが表示される。この表示画面２０７ｂには、ダウンロードを指示するためのＯＫボタンが構成されている。加えて、例えば、ダウンロード対象のコンテンツデータの特徴（Ｌ版カラー写真）、データサイズ（２００ＫＢ）、ダウンロード時間（約６０秒）等が併せて表示される。
【００３７】
そして、ユーザより、表示画面２０７ｂを介して、ダウンロードボタンの押下によって、ダウンロードが指示されると、ファクシミリ装置２０２は自身の装置性能を示す端末情報（ＵｓｅｒＡｇｅｎｔ（端末のメーカ名、機種名、処理機能名等）））やパスワード情報を含むコンテンツのダウンロード指示（ＤＬ指示）をＷｅｂサーバ２０５に配信するとともに、ダウンロード中である旨を示す表示画面２０７ｃを表示部１０６に出力する。
【００３８】
Ｗｅｂサーバ２０５は、ファクシミリ装置２０２からコンテンツデータのダウンロード要求を受信すると、そのダウンロード要求中の端末情報と指示内容から配信の可否を判定する。判定の結果、配信可能である場合は、ダウンロード対象のコンテンツデータを選択してＤＬサーバ２０６からファクシミリ装置２０２へ配信する。
【００３９】
ファクシミリ装置２０２は、ＤＬサーバ２０６から配信されてくるコンテンツデータをＲＡＭ１０４に受信しながら、そのコンテンツデータの属性情報に基づいて、そのコンテンツデータの復元処理を行う。復元処理は、例えば、コンテンツデータがＪＰＥＧファイルであれば、ＪＰＥＧデコーダを使って復元を行い、正しく復元できるか否かを確認する。
【００４０】
コンテンツデータのダウンロード処理及び復元処理が終わると、復元処理の結果を確認し、正常に復元出力可能である場合には、その旨（正常復元終了通知）をＷｅｂサーバ２０５に通知する。
【００４１】
Ｗｅｂサーバ２０５は、ファクシミリ装置２０２からダウンロードの正常復元終了通知を受けると、コンテンツデータが正常に復元できたものとする。また、このコンテンツデータの配信が有料である場合には、そのコンテンツデータの配信によって発生する課金手続等のコンテンツ配信確定処理を行う。
【００４２】
以上のようにして、ダウンロード対象のコンテンツデータがファクシミリ装置内のＲＡＭ１０４に蓄積される。その後、このコンテンツデータは、プリンタ１０５により印刷される。この場合、表示部１０６には、印刷中である旨を示す表示画面２０７ｄが表示される。
【００４３】
次に、ファクシミリ装置２０２によるコンテンツデータのダウンロードを実行する処理について、図３Ａ〜図３Ｃを用いて説明する。
【００４４】
図３Ａ〜図３Ｃは本発明の実施形態１のファクシミリ装置で実行される処理を示すフローチャートである。
【００４５】
尚、図３Ａ〜図３ＣのフローチャートのステップＳ１乃至ステップＳ２８の各ステップは、ファクシミリ装置２０２のＣＰＵ１０２の制御の下で実行される。また、図３Ａはダウンロード前の処理、図３Ｂはダウンロード中の処理、図３Ｃはダウンロード後の処理を示している。
【００４６】
まず、ファクシミリ装置２０２は、ダウンロード対象のコンテンツデータに関するページ情報をＷｅｂサーバ２０５より取得して、表示する（ステップＳ１）。
【００４７】
ここで、簡単にページ情報を取得して、表示するまでのＷｅｂサーバ２０５への接続手順について説明する。
【００４８】
まず、Ｗｅｂサーバ２０５への接続が電話回線等のダイヤルアップ回線の場合、ファクシミリ装置２０２より、コンテンツプロバイダ（ＣＰ）が提供するアクセスポイントのダイヤル番号へダイヤルし回線を接続する。装置によっては、ダイヤルアップ回線用のボタンやワンタッチボタンを持ち、ボタン操作でダイヤルできるものもあり、この場合は装置に予めダイヤルするダイヤル番号（接続情報）をＲＡＭ１０４に記憶させている。
【００４９】
ユーザは、操作部１０７のテンキーよりダイヤル番号を入力する。このダイヤル番号はダイヤルアップ用のボタンやワンタッチボタンに予め登録させておくことができ、ユーザはこれらのボタンを操作することによって回線を接続することができる。
【００５０】
実施形態１では、このＲＡＭ１０４に記憶されているダイヤル番号、又は、直前にダイヤルしたダイヤル番号をＲＡＭ１０４に記憶し、後に再接続のときに使用できる状態にしておく。
【００５１】
次に、回線接続後、Ｗｅｂサーバ２０５と、所定手順（例：プロトコル（ＰＰＰ，ＴＣＰ／ＩＰ，ＳＬＩＰ、ＨＴＴＰ等））で、ユーザ認証が行われる。
【００５２】
これは、ダイヤルアップしたユーザを特定するもので、例えば、予めコンテンツプロバイダ等から取得したユーザ名、パスワード等のユーザ情報をファクシミリ装置２０２からＷｅｂサーバ２０５へ通知し、このユーザ情報からＷｅｂサーバ２０５は、ユーザを認証し、接続を許可する。
【００５３】
この操作で、ユーザは、通信回線に接続でき、通信回線上のコンテンツサーバ２０１で管理されるページ情報を操作部１０７より入力する。この入力で、ファクシミリ装置２０２はＷｅｂサーバ２０５に対して、ページ情報の取得要求を送出し、これを受けたＷｅｂサーバ２０５は、そのページ情報をファクミリ装置２０２に送信する。
【００５４】
この手順で、Ｗｅｂサーバ２０５に接続され、ページ情報がファクシミリ装置２０２に表示される。ここで、実施形態１では、この直前に入力された又は選択されたページ情報をＲＡＭ１０４に記憶しておく。
【００５５】
ページ情報表示中に、コンテンツの中にプリント出力指示が書かれている場合（例えば、ＨＴＭＬのタグなどを使用し、タグにプリント出力指示が記述されている）に、ファクシミリ装置２０２の表示部１０６にプリント出力を促す表示がされる。
【００５６】
そこで、この表示に従ってプリント出力（コンテンツダウンロード）が選択されたか否かを判定する（ステップＳ２）。プリント出力が選択された場合（ステップＳ２でＹＥＳ）、プリント出力対象のコンテンツデータの属性情報を取得する（ステップＳ３）。
【００５７】
ここで、属性情報としては、コンテンツデータのファイル属性（ＪＰＥＧ／ＧＩＦ／ＴＩＦＦ／ＴＥＸＴ等）、ファイルサイズ、縦横サイズ、解像度、フォントタイプ（明朝／ゴシック等）、著作権情報、最大印刷回数（印刷許容上限回数）等がある。また、この著作権情報は、著作権者名、著作物名、その著作物の転送の可否等の著作権に関する情報から構成されている。
【００５８】
次に、この取得した属性情報の内容を解析する（ステップＳ４）。そして、その解析結果に基づいて、そのコンテンツデータをファクシミリ装置２０２で受信可能であるか否かを判定する（ステップＳ５）。
【００５９】
この判定は、例えば、コンテンツデータの属性情報中のデータサイズやファイル属性に基づいて判定する。つまり、ファクシミリ装置２０２の受信許容データサイズ（ＲＡＭ１０４の記憶容量）以上のデータサイズのコンテンツデータの場合は、その時点で、ステップＳ１に戻る。一方、コンテンツデータのデータサイズが受信許容データサイズ以下であるが、現在のＲＡＭ１０４の空容量がないあるいは足りなくて受信できない場合や、コンテンツデータがカラー画像であるのに対し、ファクシミリ装置２０２がモノクロ記録専用である場合には、以下のステップＳ６、７の処理を実行する。
【００６０】
ステップＳ５において、コンテンツデータをファクシミリ装置２０２が受信できない場合（ステップＳ５でＮＯ）、まず、ＲＡＭ１０４の空容量がない、つまり、メモリフルであるか否かを判定する（ステップＳ６）。メモリフルでない場合（ステップＳ６でＮＯ）、この場合は、別の要因で、ダウンロードでできないコンテンツデータであるため、ダウンロードは不可能となり、ステップＳ１に戻る。
【００６１】
一方、メモリフルである場合（ステップＳ６でＹＥＳ）、ステップＳ７に進み、ＲＡＭ１０４に現在記憶されているコンテンツデータの上書きの可否を確認する確認画面を表示部１０６に表示する。確認画面を介して、上書きの指示がある場合（ステップＳ７でＹＥＳ）、ステップＳ８に進む。一方、上書きの指示がない場合（ステップＳ７でＮＯ）、ステップＳ１に戻る。
【００６２】
次に、ダウンロード対象のコンテンツデータの属性情報を含む表示画面を表示部１０６に表示する。そして、ダウンロード開始の指示を待機する（ステップＳ９）。ダウンロード開始の指示がない場合（ステップＳ９でＮＯ）、ステップＳ１に戻る。一方、ダウンロード開始の指示がある場合（ステップＳ９でＹＥＳ）、図３ＢのステップＳ１０に進む。
【００６３】
以上の処理によって、ステップＳ９において、ダウンロードが開始した場合、ダウンロード中の処理として、図３ＢのステップＳ１０に進む。
【００６４】
まず、ダウンロードが指示された場合に、取得した属性情報や、その属性情報から判定したダウンロード予測時間等の状態表示を含む表示画面を表示部１０６に表示しながら（ステップＳ１０）、コンテンツデータのダウンロードを開始する（ステップＳ１１）。
【００６５】
次に、ダウンロードの終了を判定する（ステップＳ１２）。ダウンロードが終了した場合（ステップＳ１２でＹＥＳ）、図３ＣのステップＳ１９に進む。一方、ダウンロードが終了していない場合（ステップＳ１２でＮＯ）、ステップＳ１３に進み、着信検出部１１２によって、ダウンロード中の割込着信を監視する。
【００６６】
この着信の監視によって、割込着信の有無を判定する（ステップＳ１４）。割込着信がある場合（ステップＳ１４でＹＥＳ）、ステップＳ１５に進み、各割込着信に対応した割込着信処理を実行した上で、図３Ａのステップ１に状態へ戻る。この割込着信処理の詳細については、後述する。
【００６７】
尚、ここでの割込着信とは、回線断、接続中のＷｅｂサーバ２０５とは別の外部からの通信要求による割込着信を示し、例えば、ＮＴＴのキャッチホンサービスによる割込着信、ドアホン接続されている場合の呼出、あるいは子機接続されている場合の子機内線通話要求等がある。
【００６８】
一方、割込着信がない場合（ステップＳ１４でＮＯ）、ステップＳ１５に進み、ステップ１０と同様な状態表示を含む表示画面を表示部１０６に表示する。その後、操作部１０７を介するキー入力の有無を判定する（ステップＳ１７）、キー入力がない場合（ステップＳ１７でＮＯ）、ステップＳ１２に戻る。一方、キー入力がある場合（ステップＳ１７でＹＥＳ）、ステップＳ１８に進む。
【００６９】
次に、キー入力がキャンセルキーであるか否かを判定する（ステップＳ１７）。キャンセルキーである場合（ステップＳ１８でＹＥＳ）、図３ＡのステップＳ１へ戻る。一方、キャンセルキーでない場合（ステップＳ１８でＮＯ）、ステップＳ１２へ戻る。
【００７０】
以上の処理によって、ステップＳ１２において、ダウンロードが終了した場合、ダウンロード後の処理として、図３ＣのステップＳ１９に進む。
【００７１】
まず、ダウンロードが終了した場合は、ファクシミリ装置２０２は、必要に応じて、ＨＴＴＰ等のプロトコルを用いてＷｅｂサーバ２０５へダウンロード終了を通知する（ステップＳ１９）。Ｗｅｂサーバ２０５は、この通知を受けてダウンロードの終了タイミングを把握することができる。これによって、必要に応じて、コンテンツデータのダウンロードに対する課金を行うための課金情報を生成することが可能となる。
【００７２】
次に、ＲＡＭ１０４に記憶されているダウンロードしたコンテンツデータ（ファイル）の管理情報を更新する（ステップＳ２０）。ここで、管理情報とは、ダウンロードしたコンテンツデータを特定するための固有の識別情報と、そのコンテンツデータの属性情報（特に、最大印刷回数、著作権情報）がある。
【００７３】
次に、印刷確認画面を表示部１０６に表示する（ステップＳ２１）。この印刷確認画面を介して印刷指示の有無を判定する（ステップＳ２２）。このとき、表示部１０６には、印刷確認画面だけではなく、例えば、ダウンロードしたコンテンツデータの確認用のプレビュー画面を表示しても良い。
【００７４】
印刷指示がない場合（ステップＳ２２でＮＯ）、図３ＡのステップＳ１に戻る。一方、印刷指示がある場合（ステップＳ２２でＹＥＳ）、印刷中を示す表示画面を表示部１０６に表示する（ステップＳ２３）。次に、印刷を開始する（ステップＳ２４）。
【００７５】
印刷開始後、キー入力等からの印刷中止指示の有無を判定する（ステップＳ２５）。印刷中止指示がある場合（ステップＳ２５でＹＥＳ）、ステップＳ２６に進み、印刷を中止し、その後、図３ＡのステップＳ１へ戻る。
【００７６】
一方、印刷中止指示がない場合（ステップＳ２５でＮＯ）、印刷が終了したか否かを判定する（ステップＳ２７）。印刷が終了していない場合（ステップＳ２７でＮＯ）、ステップＳ２５に戻る。一方、印刷が終了した場合（ステップＳ２７でＹＥＳ）、ステップＳ２８に進み、ＲＡＭ１０４に記憶されている管理情報（例えば、累積印刷回数等）を更新し、図３ＡのステップＳ１へ戻る。
【００７７】
次に、図３ＢのステップＳ１３からステップＳ１５での割込着信処理の詳細について説明する。
【００７８】
ステップＳ１３において、着信検出部１１２による着信信号の検出方法としては、通信回線上の回線信号をフィルターで監視し、割込着信のトーン信号が検出された場合に、割込着信と判断するフィルター検出方式や、発信番号を通知してくる割込着信（ＮＴＴのキャッチナンバーディスプレイ）では、発信者番号をモデム規格のＶ．２３信号で送信してくるため、このＶ．２３の発信者番号信号を検出する着信データ検出方式等を用いる。
【００７９】
そして、実際に着信検出部１１２で割込着信が検出された場合（ステップＳ１４でＹＥＳ）、ステップＳ１５に進み、割込着信処理を実行する。
【００８０】
この割込着信処理の詳細について、図４を用いて説明する。
【００８１】
図４は本発明の実施形態１の割込着信処理の詳細を示すフローチャートである。
【００８２】
まず、着信検出部１１２で割込着信が検出されると、割込着信通知を行う（ステップＳ４１）。この通知は、例えば、その旨を示す表示画面を表示部１０６に表示することで実現されるが、これ以外にも、ファクシミリ装置２０２のスピーカ等の音声出力機能を利用して、着信音を鳴動することによって実現してもよい。
【００８３】
次に、ユーザによる着信に対する応答の有無を判定する（ステップＳ４２）。この判定は、例えば、ファクシミリ装置２０２でのファクシミリ受信や電話受信に対する通常の応答と同様に、ファクシミリ装置２０２のハンドセットのユーザによるオフフック操作を監視したり、ファクシミリ装置２０２の操作部１０７上のオフフックボタンの押下状態を検知することで行う。
【００８４】
ここで、着信に対する応答がない場合（ステップＳ４２でＮＯ）、ステップＳ４１に戻り、応答があるまで待機する。一方、着信に対する応答がある場合（ステップＳ４２でＹＥＳ）、ステップＳ４３へ進み、網側への割込着信接続指示を行う。具体例としては、ＮＴＴのキャッチホンサービスの場合、通信回線にフッキング信号（回線瞬断信号）を送出する。このフッキング信号の送出で、網側は、割込着信先へ本ファクシミリ装置２０２を接続し、直前の接続先（この場合、Ｗｅｂサーバ２０５）を保留状態にし、直前の接続先には保留音が通知される。
【００８５】
この接続信号の送出後、本ファクシミリ装置２０２は、割込着信先との通話状態になる。具体的には、クロスポイントスイッチ１１０を用いて、ハンドセットと通信回線を接続する（ステップＳ４４）。
【００８６】
次に、割込着信先との通話が終了したか否かを判定する（ステップＳ４５）。この判定は、ステップＳ４２と同様に、ハンドセットのオンフック操作やフックボタンの押下状態を検知することで行う。
【００８７】
ここで、通話が終了していない場合（ステップＳ４５でＮＯ）、ステップＳ４４に戻り、通話を継続する。一方、通話が終了した場合（ステップＳ４５でＹＥＳ）、ステップＳ４６へ進み、網側に元の接続先へ戻るための接続先切替指示を行う。これは、先ほどの割込着信接続指示と同様に、網に対してフッキング信号を送出することで行われる。
【００８８】
この段階で、Ｗｅｂサーバ２０５への接続状態へ遷移するが、ＣＰＵ１０２は、ステップＳ１でＲＡＭ４に記憶していたページ情報を読み込み（ステップＳ４７）、そのページ情報の取得要求をＷｅｂサーバ２０５に行い、結果的には、図３Ａのメインの状態へ自動的に復帰する。
【００８９】
尚、割込着信先との通話中は、網がＷｅｂサーバ２０５に対して保留音を通知しているため、この保留音によりＷｅｂサーバ２０５が混乱し、通話中にＷｅｂサーバ２０５自身が回線を切断してくることも考えられる。
【００９０】
この場合には、ステップＳ４６で、接続先切替指示を送信してもＷｅｂサーバ２０５とは接続できず、トーン信号が網から送出される。そのため、ステップＳ４７のページ情報を読み込む前に、このトーン信号を検出した場合には、ステップＳ１で、ＣＰＵ１０２は、さらにＲＡＭ１０４に記憶していたＷｅｂサーバ２０５への接続情報を元に、Ｗｅｂサーバ２０５へ再度ダイヤルアップ接続してから、ステップＳ４７を実行する。
【００９１】
以上説明したように、実施形態１によれば、Ｗｅｂサーバ２０５との接続中に割込着信を検出した場合は、その旨を通知して、割込着信に対する応答を許容する。また、割込着信先との通話終了後に、あるいは網からのトーン信号の検出に応答して、自動的に割込着信前のＷｅｂサーバ２０５との接続の初期状態へ遷移する。
【００９２】
これにより、ユーザは、Ｗｅｂサーバ２０５を介してコンテンツデータのダウンロード中でも、別の外部からの通信要求による割込着信に対する応答することができ、かつ、応答終了後には、直前のＷｅｂサーバ２０５との接続状態に復帰することができるので、ユーザのファクシミリ装置２０２に係る操作性を大幅に向上することができる。
【００９３】
尚、実施形態１の割込着信処理は、特に、Ｗｅｂサーバ２０５を介するコンテンツデータのダウンロード処理中での割込着信に対する処理として説明したが、これに限定されず、Ｗｅｂサーバ２０５と接続状態であれば、Ｗｅｂサーバ２０５を介するあらゆる処理中（例えば、閲覧中、アップロード中等）での割込着信に対して、上述の割込着信処理を適用できることはいうまでもない。
【００９４】
＜＜実施形態２＞＞
実施形態１の割込着信処理は、その処理対象の割込着信として、ファクシミリ受信や電話受信の場合を例に挙げて説明したが、ファクシミリ装置２０２にドアホン機能や内線機能等がある場合には、これらの機能による割込着信についても、同様な割込着信処理を適用することできる。
【００９５】
そこで、実施形態２では、ドアホン機能と内線機能を有するファクシミリ装置２０２における割込着信処理について説明する。
【００９６】
まず、実施形態２のファクシミリ装置について、図５を用いて説明する。
【００９７】
図５は本発明の実施形態２におけるファクシミリ装置の構成を示すブロック図である。
【００９８】
尚、図５において、実施形態１の図１と共通の構成要素は、同一の参照番号を付加し、その説明については省略する。
【００９９】
図５において、１１３は本ファクシミリ装置２０２の子機とのインターフェイスを司る子機ユニットであり、子機からの内線接続要求信号を入力する。１１４はドアホンアダプタであり、ドアホンからのポート信号を入力する。また、通信回線とドアホン回線の分配を行う。
【０１００】
そして、実施形態２では、着信検出部１１２で、監視対象の割込着信信号として、子機からの内線接続要求信号やドアホンからのポート信号を検出する。また、この検出は、例えば、ドアホンアダプタ１１４からのポート信号をＣＰＵ１０２の入力ポートに接続し、この入力ポートへの信号の有無を監視することで行ったり、子機からの内線接続要求信号を子機ユニット１１３で受信し、それをＣＰＵ１０２に通知することで実現する。このようにして、着信検出部１１２は、図３ＡのステップＳ１３で、子機ユニット１１２に入力される内線接続要求信号の有無、ドアホンアダプタ１１４に入力されるポート信号の有無を監視する。そして、その監視によって、割込着信を検出した場合、ステップＳ１４を介して、ステップＳ１５へ進み、割込着信処理として、以下の図６の処理を実行する。
【０１０１】
図６は本発明の実施形態２の割込着信処理の詳細を示すフローチャートである。
【０１０２】
まず、着信検出部１１２でドアホン／内線による割込着信が検出されると、ドアホン／内線の着信通知を行う（ステップＳ７１）。この通知は、例えば、その旨を示す表示画面を表示部１０６に表示することで実現されるが、これ以外にも、ファクシミリ装置２０２のスピーカ等の音声出力機能を利用して、着信音を鳴動することによって実現してもよい。
【０１０３】
次に、ユーザによる着信に対する応答の有無を判定する（ステップＳ７２）。この判定は、例えば、通常の着信に対する応答と同様に、ファクシミリ装置２０２のハンドセットのユーザによるオフフック操作を監視したり、ファクシミリ装置２０２の操作部１０７上のオフフックボタンの押下状態を検知することで行う。
【０１０４】
ここで、着信に対する応答がない場合（ステップＳ７２でＮＯ）、ステップＳ７１に戻り、応答があるまで待機する。一方、着信に対する応答がある場合（ステップＳ７２でＹＥＳ）、ステップＳ７３へ進み、着信接続指示を行う。具体的には、クロスポイントスイッチ１１０を切り替え、ドアホン又は子機と接続する。
【０１０５】
これにより、本ファクシミリ装置２０２は、着信先との通話状態になる（ステップＳ７４）。
【０１０６】
次に、着信先との通話が終了したか否かを判定する（ステップＳ７５）。この判定は、ステップＳ７２と同様に、ハンドセットのオンフック操作やフックボタンの押下状態を検知することで行う。
【０１０７】
ここで、通話が終了していない場合（ステップＳ７５でＮＯ）、ステップＳ７４に戻り、通話を継続する。一方、通話が終了した場合（ステップＳ７５でＹＥＳ）、ステップＳ７６へ進み、クロスポイントスイッチ１１０を切り替え、例えば、ハンドセットとドアホンの接続を切断する。
【０１０８】
尚、ハンドセットとドアホンが接続された状態においても、通信回線側の回線が切断されるわけではなく、接続されたままである。これは、クロスポイントスイッチ１１０の接続を、回線は接続した状態のまま、ハンドセットとドアホンの接続を行うことで実現できる。
【０１０９】
この段階で、Ｗｅｂサーバ２０５への接続状態へ遷移するが、例えば、コンテンツデータの配信を受けていた場合には、通話中に配信が完了している可能性もある。そのため、ＣＰＵ１０２は、通話終了時のファクシミリ装置２０２のステータスを参照して、配信が終了しているのであれば、配信終了を示す表示画面を表示部１０６に表示した上で、ステップＳ１でＲＡＭ１０４に記憶していたページ情報を読み込み（ステップＳ７７）、そのページ情報の取得要求をＷｅｂサーバ２０５に行い、結果的には、図３Ａのメインの状態へ復帰する。
【０１１０】
このように、ユーザは割込着信を終了（切断）するだけで、その割込着信前のＷｅｂサーバ２０５への接続状態へ自動的に復帰する。
【０１１１】
以上説明したように、実施形態２によれば、Ｗｅｂサーバ２０５との接続中にドアホン／内線着信を検出した場合は、その旨を通知して、その着信に対する応答を許容する。また、着信先との通話終了後に、自動的に着信前のＷｅｂサーバ２０５との接続の初期状態へ遷移する。
【０１１２】
これにより、ユーザは、Ｗｅｂサーバ２０５を介してコンテンツデータのダウンロード中でも、別の外部からの通信要求（ドアホン／内線接続要求）による割込着信に対する応答することができ、かつ、応答終了後には、直前のＷｅｂサーバ２０５との接続状態に復帰することができるので、ユーザのファクシミリ装置２０２に係る操作性を大幅に向上することができる。
【０１１３】
尚、実施形態２の割込着信処理も、実施形態１と同様に、Ｗｅｂサーバ２０５と接続状態であれば、Ｗｅｂサーバ２０５を介するあらゆる処理中（例えば、閲覧中、アップロード中等）での割込着信に対して、上述の割込着信処理を適用できることはいうまでもない。
【０１１４】
＜＜実施形態３＞＞
実施形態３では、実施形態１や２では、Ｗｅｂサーバ２０５との接続中の割込着信に対する応答を許容する構成としたが、用途や目的によっては、この割込着信を禁止したい場合がある。そこで、実施形態３では、ファクシミリ装置２０２からＷｅｂサーバ２０５へ接続する場合に、その接続中の割込着信を禁止する割込着信禁止処理について説明する。
【０１１５】
図７は本発明の実施形態３の割込着信禁止処理の詳細を示すフローチャートである。
【０１１６】
まず、Ｗｅｂサーバ２０５に対するサーバ接続指示の有無を判定する（ステップＳ５１）。このサーバ接続指示の有無は、操作部１０７を介してサーバ接続用の電話番号が入力され、その接続の指示の有無や、操作部１０７に設けられたサーバ接続専用ボタンの押下の有無に基づいて、ＣＰＵ１０２が判定する。
【０１１７】
サーバ接続指示がない場合（ステップＳ５１でＮＯ）、サーバ接続指示があるまで待機する。一方、サーバ接続指示がある場合（ステップＳ５１でＹＥＳ）、ステップＳ５２に進み、Ｗｅｂサーバ２０５との接続中の割込着信を禁止するための割込着信停止指示を行う。これにより、ファクシミリ装置２０２に、Ｗｅｂサーバ２０５との接続中の割込着信の禁止設定がなされる。
【０１１８】
この割込着信停止指示は、例えば、ＮＴＴのキャッチホンＩＩと呼ばれるサービスでは、１４５にダイヤル後、０をダイヤルすることで行われる。このダイヤル動作は、サーバ接続指示が検出された場合に、本ファクシミリ装置２０２が自動的に行う。これによって、割込着信停止指示が実現される。そして、網側では、この信号を受け取ると、その後に受信する割込着信を本ファクシミリ装置２０２には通知せず、網側でメッセージを受け取ることが可能になる。
【０１１９】
ステップＳ５２で割込着信停止指示を行った後、通常のサーバ接続（ダイヤルアップ接続）を行い、Ｗｅｂサーバ２０５に接続する（ステップＳ５３）。尚、この接続状態とは、図３Ａで説明したステップＳ１の状態のことである。これによって、Ｗｅｂサーバ２０５から提供されるページ情報の閲覧／配信を実行する（ステップＳ５４）。
【０１２０】
次に、サーバ接続が切断されたか否かを判定する（ステップＳ５５）。この判定は、ユーザによる操作部１０７を介する切断操作の有無で判定する。サーバ接続が切断されない場合（ステップＳ５５でＮＯ）、ステップＳ５４に戻り、ページ情報の閲覧／配信を継続する。一方、サーバ接続が切断された場合（ステップＳ５５でＹＥＳ）、ステップＳ５６に進み、割込着信の許容するための割込着信再開指示を行う。これにより、割込着信の禁止設定が解除される。
【０１２１】
この割込着信再開指示は、上述のキャッチホンＩＩサービスを例に挙げて説明すると、１４５にダイヤル後、１をダイヤルすることで行われる。ここでも、このダイヤル動作は、サーバ切断が検出された場合に、本ファクシミリ装置２０２が自動的に行う。これによって、割込着信再開指示が実現される。
【０１２２】
以上説明したように、実施形態３によれば、Ｗｅｂサーバ２０５の接続前に割込着信を自動的に禁止し、Ｗｅｂサーバ２０５との接続終了後に割込着信を自動的に設定するため、Ｗｅｂサーバ２０５との接続中に割込着信がなくエラーのない快適なサーバ接続を可能にする。
【０１２３】
また、切断時に割込着信を自動的に再開しているため、ユーザのファクシミリ装置２０２に係る操作性を大幅に向上することができる。これは、手動による割込着信の可否の設定ミスを未然に防止できる。
【０１２４】
以上説明した実施形態１〜３における、ファクシミリ装置は、プリンタ機能及び通信機能を有するパーソナルコンピュータ等の情報通信装置でもって実現できるし、その機能を実現する手順としての方法の発明として捉えることができる。また、コンピュータにより実現できるわけであるから、本発明はそれぞれの装置で実行されるコンピュータプログラム、更には、そのコンピュータプログラムを格納し、コンピュータが読み込めるＣＤ−ＲＯＭ等のコンピュータ可読記憶媒体にも適用できるのは明らかであろう。
【０１２５】
従って、上記実施形態１〜３に係る実施態様を列挙すると、次の通りである。すなわち、情報通信装置及びその制御方法、プログラムは、次のようになる。
【０１２６】
＜実施態様１＞  通信回線を介してデータを取得する情報通信装置であって、
前記データを管理するサーバに接続するための接続情報と、前記データを取得するためのページ情報を記憶する記憶手段と、
前記接続情報と前記ページ情報を用いて、前記サーバとの通信を実行する通信手段と、
前記通信回線に係る通信状況を監視する監視手段と、
前記監視手段によって、前記サーバとの通信中に、該サーバ以外の通信要求が検出された場合、前記通信要求を通知する通知手段と、
前記通知手段で通知される通信要求に対する応答を行う応答手段と、
前記応答手段による応答結果に基づいて、前記通信要求に対する通信を実行する実行手段と
を備えることを特徴とする情報通信装置。
【０１２７】
＜実施態様２＞  前記通信要求に対する通信の終了後、前記制御手段は、前記記憶手段に記憶された前記接続情報を用いて前記サーバとの通信回線を再接続し、前記記憶手段に記憶された前記ページ情報に対応するデータに係る通信を再実行する
ことを特徴とする実施態様１に記載の情報通信装置。
【０１２８】
＜実施態様３＞  前記監視手段は、割込着信信号あるいは発信者番号信号を検出する
ことを特徴とする実施態様１に記載の情報通信装置。
【０１２９】
＜実施態様４＞  ドアホンを接続するドアホン接続手段を更に備え、
前記監視手段は、前記ドアホン接続手段に入力されるポート信号を検出する
ことを特徴とする実施態様１に記載の情報通信装置。
【０１３０】
＜実施態様５＞  子機を接続する子機接続手段を更に備え、
前記監視手段は、前記子機接続手段に入力される子機接続要求信号を検出する
ことを特徴とする実施態様１に記載の情報通信装置。
【０１３１】
＜実施態様６＞  前記通知手段は、前記通信要求を表示あるいは音によって通知する
ことを特徴とする実施態様１に記載の情報通信装置。
【０１３２】
＜実施態様７＞  通信回線を介してデータを取得する情報通信装置であって、
前記データを管理するサーバと通信を実行する通信手段と、
前記通信手段によって前記サーバと接続する接続指示の有無を判定する判定手段と、
前記判定手段の判定の結果、前記接続指示がある場合に、前記サーバとの接続中の割込着信の禁止設定を行う設定手段と、
前記設定手段によって前記割込着信の禁止設定後に、前記通信手段による通信を実行する制御手段と
を備えることを特徴とする情報通信装置。
【０１３３】
＜実施態様８＞  前記通信手段によるサーバとの通信の終了後、前記割込着信の禁止設定を解除する解除手段と
を更に備えることを特徴とする実施態様７に記載の情報通信装置。
【０１３４】
＜実施態様９＞  通信回線を介してデータを取得する情報通信装置の制御方法であって、
前記データを管理するサーバに接続するための接続情報と、前記データを取得するためのページ情報を記憶媒体に記憶する記憶工程と、
前記接続情報と前記ページ情報を用いて、前記サーバとの通信を実行する通信工程と、
前記通信回線に係る通信状況を監視する監視工程と、
前記監視工程によって、前記サーバとの通信中に、該サーバ以外の通信要求が検出された場合、前記通信要求を通知する通知工程と、
前記通知工程で通知される通信要求に対する応答を行う応答工程と、
前記応答工程による応答結果に基づいて、前記通信要求に対する通信を実行する実行工程と
を備えることを特徴とする情報通信装置の制御方法。
【０１３５】
＜実施態様１０＞  通信回線を介してデータを取得する情報通信装置の制御方法であって、
前記データを管理するサーバと通信を実行する通信工程と、
前記通信工程によって前記サーバと接続する接続指示の有無を判定する判定工程と、
前記判定工程の判定の結果、前記接続指示がある場合に、前記サーバとの接続中の割込着信の禁止設定を行う設定工程と、
前記設定工程によって前記割込着信の禁止設定後に、前記通信工程による通信を実行する制御工程と
を備えることを特徴とする情報通信装置の制御方法。
【０１３６】
＜実施態様１１＞  通信回線を介してデータを取得する情報通信装置の制御を実現するプログラムであって、
前記データを管理するサーバに接続するための接続情報と、前記データを取得するためのページ情報を記憶媒体に記憶する記憶工程のプログラムコードと、
前記接続情報と前記ページ情報を用いて、前記サーバとの通信を実行する通信工程のプログラムコードと、
前記通信回線に係る通信状況を監視する監視工程のプログラムコードと、
前記監視工程によって、前記サーバとの通信中に、該サーバ以外の通信要求が検出された場合、前記通信要求を通知する通知工程のプログラムコードと、
前記通知工程で通知される通信要求に対する応答を行う応答工程のプログラムコードと、
前記応答工程による応答結果に基づいて、前記通信要求に対する通信を実行する実行工程のプログラムコードと
を備えることを特徴とするプログラム。
【０１３７】
＜実施態様１２＞  通信回線を介してデータを取得する情報通信装置の制御を実現するプログラムであって、
前記データを管理するサーバと通信を実行する通信工程のプログラムコードと、
前記通信工程によって前記サーバと接続する接続指示の有無を判定する判定工程のプログラムコードと、
前記判定工程の判定の結果、前記接続指示がある場合に、前記サーバとの接続中の割込着信の禁止設定を行う設定工程のプログラムコードと、
前記設定工程によって前記割込着信の禁止設定後に、前記通信工程による通信を実行する制御工程のプログラムコードと
を備えることを特徴とするプログラム。
【０１３８】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【０１３９】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１４０】
その場合、プログラムの機能を有していれば、オブジェクトコード、インタプリタにより実行されるプログラム、ＯＳに供給するスクリプトデータ等の形態であっても良い。
【０１４１】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１４２】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１４３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１４４】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【０１４５】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【０１４６】
【発明の効果】
以上説明したように、本発明によれば、複数種類の通信要求に対する通信が可能な装置で、効率的に各通信要求に対する通信を実行することができる情報通信技術を提供できる。
【図面の簡単な説明】
【図１】本発明の実施形態１におけるファクシミリ装置の構成を示すブロック図である。
【図２】本発明の実施形態１のファクシミリ装置によるコンテンツデータのダウンロード処理シーケンスを示す図である。
【図３Ａ】本発明の実施形態１のファクシミリ装置で実行される処理を示すフローチャートである。
【図３Ｂ】本発明の実施形態１のファクシミリ装置で実行される処理を示すフローチャートである。
【図３Ｃ】本発明の実施形態１のファクシミリ装置で実行される処理を示すフローチャートである。
【図４】本発明の実施形態１の割込着信処理の詳細を示すフローチャートである。
【図５】本発明の実施形態２におけるファクシミリ装置の構成を示すブロック図である。
【図６】本発明の実施形態２の割込着信処理の詳細を示すフローチャートである。
【図７】本発明の実施形態３の割込着信禁止処理の詳細を示すフローチャートである。
【符号の説明】
１０１  画像読取装置
１０２  ＣＰＵ
１０３  ＲＯＭ
１０４  ＲＡＭ
１０５  プリンタ
１０６  表示部
１０７  操作部
１０８  データモデム
１０９  ＦＡＸモデム
１１０  クロスポイントスイッチ
１１１  画像処理部
１１２  着信検出部
【図１】
2004235892.tif 000003
【図２】
2004235892.tif 000004
【図３Ａ】
2004235892.tif 000005
【図３Ｂ】
2004235892.tif 000006
【図３Ｃ】
2004235892.tif 000007
【図４】
2004235892.tif 000008
【図５】
2004235892.tif 000009
【図６】
2004235892.tif 000010
【図７】
2004235892.tif 000011